(57)【要約】【課題】表示対象物の寸法の入力をユーザが容易に行うことができるようにすること。【解決手段】画像に含まれる対象物の長さの入力をユーザから受け付ける撮影装置１０の対象物検出部１５ｂが、画像に含まれる前記対象物を検出し、表示部１２ａが、対象物検出部１５ｂにより検出された対象物において長さの入力対象となる箇所の候補を表示し、入力受付部１２ｂが、上記候補の中のいずれかの指定をユーザから受け付け、指定された箇所の長さの入力をさらにユーザから受け付ける。【選択図】図１
2014071577.tif 000002
【特許請求の範囲】
【請求項１】
画像に含まれる対象物の長さの入力をユーザから受け付ける入力受付装置であって、
前記画像に含まれる前記対象物を検出する対象物検出部と、
該対象物検出部により検出された対象物において長さの入力対象となる箇所の候補を表示する表示部と、
前記候補の中のいずれかの指定をユーザから受け付け、指定された箇所の長さの入力をさらにユーザから受け付ける入力受付部と、
を備えることを特徴とする入力受付装置。
【請求項２】
前記表示部は、ユーザにより前記対象物の指定を受け付けた場合に、該対象物についての前記候補を表示することを特徴とする請求項１に記載の入力受付装置。
【請求項３】
前記表示部は、円形度が大きい方から所定の数の対象物について、前記候補を表示することを特徴とする請求項１または２に記載の入力受付装置。
【発明の詳細な説明】
【技術分野】
【０００１】
本発明は、入力受付装置に関し、詳しくは、画像に含まれる対象物の長さの入力をユーザから受け付ける入力受付装置に関する。
【背景技術】
【０００２】
近年、表示装置の画面サイズの大型化が進み、人を等身大で表示することも可能となってきている。例えば、カラオケボックスで表示装置にアーティストが表示される場合、アーティストを等身大で表示することができれば、アーティストがそこに実際にいるような臨場感が得られる。
【０００３】
しかし、８０インチ型の表示装置でアーティストが等身大で表示されたとしても、１００インチ型の表示装置でアーティストを表示すると、等身大よりも大きくなってしまうので、リアリティが失われるという問題がある。
【０００４】
このような問題を解消するため、特許文献１には、対象物画像の寸法データを保持し、対象物画像の表示要求を受け付けると、ディスプレイの解像度の情報をもとに、対象物画像がそのディスプレイ上において寸法データで指定される大きさとなるように調整した表示画像を生成する画像処理装置が開示されている。
【０００５】
また、特許文献２には、被写体の大きさの情報を通信相手のテレビ会議装置に伝送し、その大きさの情報を用いて上記テレビ会議装置にその被写体を等身大で表示させるテレビ会議装置が開示されている。
【先行技術文献】
【特許文献】
【０００６】
【特許文献１】特開２０１０−２０４７８２号公報
【特許文献２】特開２０１０−１７１６９５号公報
【発明の概要】
【発明が解決しようとする課題】
【０００７】
上述した特許文献１、２の従来技術では、対象物画像の寸法データや被写体の大きさの情報を予め設定しておく必要があるが、それらの従来技術はユーザがその設定を容易に行えるようにするものではなかった。
【０００８】
本発明は、上記実情に鑑み、表示対象物の寸法の入力をユーザが容易に行うことができるようにする入力受付装置を提供することを目的とする。
【課題を解決するための手段】
【０００９】
上記課題を解決する為に、本発明の第１の技術手段は、画像に含まれる対象物の長さの入力をユーザから受け付ける入力受付装置であって、前記画像に含まれる前記対象物を検出する対象物検出部と、該対象物検出部により検出された対象物において長さの入力対象となる箇所の候補を表示する表示部と、前記候補の中のいずれかの指定をユーザから受け付け、指定された箇所の長さの入力をさらにユーザから受け付ける入力受付部と、を備えることを特徴とする。
【００１０】
本発明の第２の技術手段は、第１の技術手段において、前記表示部は、ユーザにより前記対象物の指定を受け付けた場合に、該対象物についての前記候補を表示することを特徴とする。
【００１１】
本発明の第３の技術手段は、第１または第２の技術手段において、前記表示部は、円形度が大きい方から所定の数の対象物について、前記候補を表示することを特徴とする。
【発明の効果】
【００１２】
本発明によれば、画像に含まれる対象物を検出し、検出された対象物において長さの入力対象となる箇所の候補を表示し、候補の中のいずれかの指定をユーザから受け付け、指定された箇所の長さの入力をさらにユーザから受け付けることとしたので、表示対象物の寸法の入力をユーザが容易に行うことができる。
【図面の簡単な説明】
【００１３】
【図１】本発明の実施形態に係る撮影装置の構成の一例を示す図である。
【図２】対象物の検出処理の一例について説明する図である。
【図３】長さの入力対象となる箇所の候補について説明する図である。
【図４】画像データに付加される長さの情報について説明する図である。
【図５】画像を実際の対象物の寸法と同じ寸法で表示する方法について説明する図である。
【図６】本発明の実施形態に係る表示装置の構成の一例を示す図である。
【図７】本発明の実施形態に係る長さの入力受付処理の処理手順の一例を示すフローチャートである。
【図８】本発明の実施形態に係る画像の表示処理の処理手順の一例を示すフローチャートである。
【発明を実施するための形態】
【００１４】
以下、本発明の実施形態について図面を参照して詳細に説明する。図１は、本発明の実施形態に係る撮影装置１０の構成の一例を示す図である。この撮影装置１０は、画像に含まれる対象物の長さの入力をユーザから受け付ける入力受付装置でもある。撮影装置１０は、撮像部１１、タッチパネル部１２、記憶部１３、通信処理部１４、制御部１５を備える。
【００１５】
撮像部１１は、ＣＣＤ（Charge Coupled Device）カメラを備え、カメラで映像を撮影する処理部である。タッチパネル部１２は、種々の情報を表示するとともに、ユーザから情報の入力を受け付けるタッチパネルである。タッチパネル部１２は、種々の情報を表示する表示部１２ａと、ユーザから情報の入力をタッチ操作により受け付ける入力受付部１２ｂを備える。
【００１６】
記憶部１３は、ハードディスク装置やメモリ、磁気テープなどの記録媒体にデータを記憶する記憶デバイスである。メモリには、ＳＤ（Secure Digital）メモリカード（登録商標）などのメモリカードが含まれる。
【００１７】
記憶部１３は、撮像部１１により撮影された画像のデータなどを記憶する。通信処理部１４は、例えば、ＨＤＭＩ（High-Definition Multimedia Interface）ケーブルなどを介して、他の装置と通信を行う処理部である。
【００１８】
制御部１５は、撮影装置１０の各部を制御するＣＰＵ（Central Processing Unit）などの制御デバイスである。制御部１５は、エンコード部１５ａ、対象物検出部１５ｂ、候補情報生成部１５ｃ、長さ情報生成部１５ｄ、長さ情報付加部１５ｅを備える。
【００１９】
エンコード部１５ａは、撮像部１１により撮像された画像の画像データを所定のフォーマットにエンコードして記憶部１３に記憶する処理部である。対象物検出部１５ｂは、撮像部１１により撮像された画像に含まれる対象物を検出する処理部である。
【００２０】
図２は、対象物の検出処理の一例について説明する図である。図２には、撮像部１１により撮像された画像２０と、その画像２０に対してエッジ抽出を行った結果の画像２１が示されている。対象物検出部１５ｂは、このようなエッジ抽出を行い、その結果に基づいて、人２１ａやうちわ２１ｂ、ボール２１ｃなどの対象物を検出する。なお、このような対象物の検出方法には従来さまざまなものが提案されており、ここではその詳しい説明を省略する。
【００２１】
図１の説明に戻ると、候補情報生成部１５ｃは、撮像部１１により撮像された画像（例えば、図２の画像２０）が表示部１２ａに表示され、入力受付部１２ｂを介してユーザによりその画像に含まれる対象物（例えば、図２の画像２０における人やうちわ、ボール）が選択された場合に、その対象物において長さの入力対象となる箇所の候補の情報を生成し、その情報を表示部１２ａに表示させる処理部である。
【００２２】
図３は、長さの入力対象となる箇所の候補について説明する図である。図３（Ａ）では、ユーザによりうちわが対象物として選択されている。この場合、長さの入力対象となる箇所の候補として、例えば、うちわの外接矩形３０の縦の辺３１や横の辺３２、うちわの内部領域に２つの端点が含まれる直線のうち、外接矩形３０の対角線に並行で長さが最大となる直線３３、その直線３３に直交する直線のうち長さが極大値となる直線３４が選択される。
【００２３】
図３（Ｂ）では、ユーザにより人が対象物として選択されている。この場合、長さの入力対象となる箇所の候補として、例えば、人の内部領域に２つの端点が含まれる直線のうち、外接矩形４０の縦の辺に平行で長さが最大となる直線４１、その直線４１に直交する直線のうち長さが極大値となる直線４２、４３、４４が選択される。
【００２４】
この場合、人の外接矩形４０の縦の辺、横の辺は、候補情報生成部１５ｃにより、長さの入力対象となる箇所の候補として選択されることはない。これは、外接矩形４０の縦の辺の長さは、直線４１の長さに一致し、横の辺の長さは、直線４３の長さに一致するので、長さが等しい箇所が候補として重複して選択されないようにするためである。
【００２５】
図３（Ｃ）は、ユーザによりボールが対象物として選択されている。この場合、長さの入力対象となる箇所の候補として、例えば、ボールの内部領域に２つの端点が含まれる直線のうち、長さが最大となる直線５１が選択される。
【００２６】
この場合も同様に、ボールの外接矩形５０の縦の辺、横の辺は、候補情報生成部１５ｃにより、長さの入力対象となる箇所の候補として選択されることはない。これは、外接矩形５０の縦の辺の長さ、横の辺の長さは、直線５１の長さに一致するので、長さが等しい箇所が候補として重複して選択されないようにするためである。
【００２７】
候補情報生成部１５ｃは、対象物検出部１５ｂにより検出された対象物の情報を取得し、その情報に基づいて、上述したような長さの入力対象となる箇所３１〜３４の候補の情報を生成する。そして、図３（Ａ）〜図３（Ｃ）に示したように、その候補３１〜３４、４１〜４４、５１を示す矢印を表示部１２ａに表示させ、ユーザがそれらの中からいずれかを選択できるようにする。
【００２８】
長さ情報生成部１５ｄは、図３（Ａ）〜（Ｃ）に示したような長さの入力対象となる箇所の候補のいずれかが、ユーザによる入力受付部１２ｂを介したタッチ操作により選択され、選択された箇所の長さがユーザにより入力された場合に、画像データのヘッダ部に付加される長さの情報を生成する処理部である。
【００２９】
図４は、画像データに付加される長さの情報について説明する図である。図４に示すように、例えば、ユーザが長さの入力対象となる箇所として、直線３４を選択したものとする。そして、ユーザがその箇所の長さを入力したものとする。図４において、直線３４、直線６０、直線６１は、直線３４を斜辺とする直角三角形を構成し、直線６０は画像の垂直方向に平行な直線であり、直線６１は画像の水平方向に平行な直線である。
【００３０】
この場合、長さ情報生成部１５ｄは、直線６０の長さを算出し、算出した長さを画像データに付加する長さとして設定する。具体的には、長さ情報生成部１５ｄは、直線６０の長さｙを、
ｙ＝ｄ×｜ｙ１−ｙ２｜／√（（ｘ１−ｘ２）＾２＋（ｙ１−ｙ２）＾２）
により算出する。ここで、ｄは、ユーザにより入力された直線３４の長さである。ｘ１＝ｘ２の場合、ｙ＝ｄとなり、直線６０の長さはユーザにより入力された直線３４の長さと一致することになる。また、長さ情報生成部１５ｄは、直線６０の部分に対応する画素数の情報ａを取得する。
【００３１】
なお、ｙ１＝ｙ２の場合、ｙ＝０となる。そのため、｜ｙ２−ｙ１｜＜Ｔ（Ｔは所定の閾値）である場合、長さ情報生成部１５ｄは、直線６１の長さを算出し、算出した長さを画像データに付加する長さとして設定する。
【００３２】
具体的には、長さ情報生成部１５ｄは、直線６１の長さｘを、
ｘ＝ｄ×｜ｘ１−ｘ２｜／√（（ｘ１−ｘ２）＾２＋（ｙ１−ｙ２）＾２）
により算出する。ここで、ｄは、ユーザにより入力された直線３４の長さである。ｙ１＝ｙ２の場合、ｘ＝ｄとなり、直線６０の長さはユーザにより入力された直線３４の長さと一致することになる。この場合、長さ情報生成部１５ｄは、直線６１の部分に対応する画素数の情報ｂを取得する。
【００３３】
算出された長さｙおよび画素数ａ（または、長さｘおよび画素数ｂ）は、画像を実際の対象物の寸法と同じ寸法で表示する場合に参照される。図５は、画像を実際の対象物の寸法と同じ寸法で表示する方法について説明する図である。
【００３４】
画像が表示装置に表示される場合、まず、上述した長さｙ、表示装置の画面の縦の長さＨ、その画面の縦の画素数Ｎから、対象物の画素数ｎが、
ｎ＝ｙ×Ｎ／Ｈ
により算出される。そして、図４に示した辺６０がその画素数ｎで表示されるように、うちわや人、ボールを含む画像全体がｎ／ａ倍にスケーリングされる。
【００３５】
例えば、図５（Ａ）の例で、ｙ＝３００ｍｍ、Ｈ＝２０００ｍｍ、Ｎ＝１９２０画素であるとすると、ｎ＝２８８画素となる。そして、ａ＝２００画素であるとすると、画像全体が２８８／２００＝１.４４倍にスケーリングされ、辺６０の画素数が２００画素から２８８画素に変換される。
【００３６】
また、図５（Ｂ）の例で、ｙ＝３００ｍｍ、Ｈ＝２０００ｍｍ、Ｎ＝３８４０画素であるとすると、ｎ＝５７６画素となる。そして、ａ＝２００画像であるとすると、画像全体が５７６／２００＝２.８８倍にスケーリングされ、辺６０の画素数が２００画素から５７６画素に変換される。
【００３７】
さらに、図５（Ｃ）の例で、ｙ＝３００ｍｍ、Ｈ＝３０００ｍｍ、Ｎ＝１９２０画素であるとすると、ｎ＝１９２画素となる。そして、ａ＝２００画像であるとすると、画像全体が１９２／２００＝０.９６倍にスケーリングされ、辺６０の画素数が２００画素から１９２画素に変換される。
【００３８】
このように、画像をスケーリングすることにより、図４に示したうちわの直線３４を表示装置の種類によらず実際の長さで表示することができ、その結果、うちわを実際の大きさで表示することができる。また、人やボールについても実際の大きさで表示することができる。
【００３９】
なお、図５では、長さ情報として図４の直線６０の長さｙの情報が選択された場合について説明したが、図４の直線６１の長さｘの情報が選択された場合も同様に、長さｘ、表示装置の画面の横の長さＬ、その画面の横の画素数Ｍから、対象物の画素数ｍを
ｍ＝ｘ×Ｍ／Ｌ
により算出することができる。
【００４０】
そして、このｍの値と、画素数の情報ｂに基づいて、画像全体をスケーリングすることにより、うちわを実際の大きさで表示することができる。また、人やボールについても実際の大きさで表示することができる。
【００４１】
図１の説明に戻ると、長さ情報付加部１５ｅは、長さ情報生成部１５ｄにより生成された長さｙおよび画素数ａ（または長さｘおよび画素数ｂ）の情報を記憶部１３に記憶されている画像データのヘッダ部に長さ情報として付加する処理部である。長さ情報が付加された画像データは、通信処理部１４を介して、つぎに説明する表示装置７０に送信される。あるいは、画像データはメモリカードで表示装置７０に移される。
【００４２】
図６は、本発明の実施形態に係る表示装置７０の構成の一例を示す図である。表示装置７０は、入力受付部７１、表示部７２、記憶部７３、通信処理部７４、表示制御部７５、制御部７６を備える。
【００４３】
入力受付部７１は、表示装置７０の設定情報の入力などをユーザから受け付けるボタンなどの入力デバイスである。表示部７２は、液晶ディスプレイなどの表示デバイスである。記憶部７３は、ハードディスク装置やメモリなどの記憶デバイスである。メモリには、ＳＤメモリカード（登録商標）などのメモリカードが含まれる。記憶部７３は、撮影装置１０から取得した長さ情報が付加された画像データなどを記憶する。
【００４４】
通信処理部７４は、例えば、ＨＤＭＩケーブルなどを介して、撮影装置１０などの他の装置と通信を行う処理部である。表示制御部７５は、表示部７２における画像の表示処理を制御する処理部である。
【００４５】
制御部７６は、表示装置７０の各部を制御するＣＰＵなどの制御デバイスである。制御部７６は、デコード部７６ａ、長さ情報取得部７６ｂ、倍率算出部７６ｃ、スケーリング部７６ｄ、画質調整部７６ｅを備える。
【００４６】
デコード部７６ａは、撮影装置１０によりエンコードされた画像データをデコードする処理部である。長さ情報取得部７６ｂは、画像データに付加された長さ情報（すなわち、長さｙおよび画素数ａ、または、長さｘおよび画素数ｂ）を取得する処理部である。
【００４７】
倍率算出部７６ｃは、画像に含まれる対象物を実際の大きさで表示するため、画像をスケーリングする場合の倍率を算出する処理部である。具体的には、倍率算出部７６ｃは、図５を用いて説明したように、スケーリングの倍率をｎ／ａ＝ｙ×Ｎ／Ｈ／ａ（または、ｍ／ｂ＝ｘ×Ｍ／Ｌ／ｂ）により算出する。
【００４８】
なお、ここでは、画素数ａ（または、画素数ｂ）を用いて倍率を算出することとしたが、倍率算出部７６ｃが、図４に示した座標値ｙ１、ｙ２（または、座標値ｘ１、ｘ２）の情報を撮影装置１０から取得して、画素数ａ（または、画素数ｂ）を算出し、その結果得られた画素数ａ（または、画素数ｂ）を用いて、上記倍率を算出することとしてもよい。
【００４９】
スケーリング部７６ｄは、倍率算出部７６ｃにより算出された倍率で画像のスケーリングを行う処理部である。画質調整部７６ｅは、画像の画質を調整する処理部である。
【００５０】
つぎに、本発明の実施形態に係る長さの入力受付処理の処理手順について説明する。図７は、本発明の実施形態に係る長さの入力受付処理の処理手順の一例を示すフローチャートである。
【００５１】
まず、撮影装置１０の表示部１２ａは、撮像部１１が撮影した画像を表示する（ステップＳ１０１）。そして、入力受付部１２ｂは、長さの入力対象物の選択をユーザから受け付ける（ステップＳ１０２）。長さの入力対象物とは、例えば、図２を用いて説明した人やうちわ、ボールなどである。
【００５２】
そして、候補情報生成部１５ｃは、図３で説明したようにして、長さの入力対象となる箇所の候補（例えば、図３（Ａ）の矢印３１〜３４で示される候補、図３（Ｂ）の矢印４１〜４４で示される候補、図３（Ｃ）の矢印５１で示される候補）の情報を生成する（ステップＳ１０３）。
【００５３】
そして、表示部１２ａは、長さの入力対象となる箇所の候補を示す矢印（例えば、図３（Ａ）の矢印３１〜３４、図３（Ｂ）の矢印４１〜４４、図３（Ｃ）の矢印５１）を画面に表示する（ステップＳ１０４）。
【００５４】
その後、入力受付部１２ｂは、ユーザから長さの入力対象となる箇所の選択を受け付ける（ステップＳ１０５）。さらに、入力受付部１２ｂは、ユーザから長さの情報の入力を受け付ける（ステップＳ１０６）。その際、表示部１２ａは、長さの入力を受け付ける受付画面を表示する。
【００５５】
そして、長さ情報付加部１５ｅは、図４で説明した長さｙおよび画素数ａ（または、長さｘおよび画素数ｂ）の情報を画像データに付加し（ステップＳ１０７）、この入力受付処理は終了する。
【００５６】
つぎに、本発明の実施形態に係る画像の表示処理の処理手順について説明する。図８は、本発明の実施形態に係る画像の表示処理の処理手順の一例を示すフローチャートである。
【００５７】
まず、表示装置７０の通信処理部７４は、撮影装置１０からＨＤＭＩケーブルを介して画像データを受信する（ステップＳ２０１）。そして、長さ情報取得部７６ｂは、受信した画像データに長さ情報が付加されているか否かを判定する（ステップＳ２０２）。
【００５８】
画像データに長さ情報が付加されている場合（ステップＳ２０２においてＹＥＳの場合）、倍率算出部７６ｃは、図５を用いて説明したようにして、画像をスケーリングする際の倍率を算出する（ステップＳ２０３）。
【００５９】
そして、スケーリング部７６ｄは、その倍率で画像をスケーリングし、表示制御部７５は、スケーリングされた画像を表示部７２に実寸で表示させる（ステップＳ２０４）。その際、必要に応じて、画質調整部７６ｅは、画像の画質を調整する。その後、この表示処理は終了する。
【００６０】
一方、ステップＳ２０２において、画像データに長さ情報が付加されていない場合（ステップＳ２０２においてＮＯの場合）、表示制御部７５は、画像の通常表示を行う（ステップＳ２０５）。その後、この表示処理は終了する。
【００６１】
ここで、画像の通常表示とは、画像を拡大または縮小して表示装置７０の画面全体に画像が表示されるようにする処理である。ここでの拡大または縮小の倍率は、画像の画素数と表示装置７０の画面の画素数とから算出されるが、画像中の対象物は、実際の大きさで表示されるとは限らない。
【００６２】
以上、本発明の実施形態について説明してきたが、本発明は上述した実施形態に限定されるものではなく、本発明の要旨を逸脱しない範囲内で各種の変形、修正が可能である。
【００６３】
例えば、上述した実施形態では、撮影装置１０は、画像中の対象物のいずれかがユーザにより選択された場合に、その対象物についての長さの入力対象となる箇所の候補を表示することとしたが、すべての対象物についての候補を表示し、ユーザから選択を受け付けることとしてもよい。
【００６４】
あるいは、撮影装置１０は、より丸いものから所定の数だけ対象物を選択し、選択された対象物についての候補を表示することとしてもよい。丸い対象物は、長さの入力が容易であるため、ユーザの負担を軽減できる。
【００６５】
この場合、撮影装置１０の対象物検出部１５ｂは、図２で説明したようにして対象物を検出した後、各対象物の円形度ｅを、
ｅ＝４πＳ／Ｃ＾２
により算出する。ここで、Ｓは、対象物の領域の面積、Ｃは、対象物の領域の周囲長である。円の場合、Ｓ＝πｒ＾２、Ｃ＝２πｒ（ｒは円の半径）となるので、ｅ＝１となる。すなわち、ｅが１に近いほどその対象物の形状が円に近いということになる。
【００６６】
撮影装置１０の候補情報生成部１５ｃは、ｅが１に近い対象物から所定の数だけ選択し、選択した対象物について、長さの入力対象となる箇所の候補の情報を生成する。その後、表示部１２ａは、図３に示した例と同様に、生成された候補を表示する。
【００６７】
また、上述した実施形態では、撮影装置１０が、画像の撮影後に長さの入力をユーザから受け付けることとしたが、表示装置７０が、画像を表示する前に長さの入力をユーザから受け付けることとしてもよい。この場合、表示装置７０は、撮影装置１０が備える対象物検出部１５ｂ、候補情報生成部１５ｃ、長さ情報生成部１５ｄ、長さ情報付加部１５ｅと同様の処理部を備え、長さの情報の入力をユーザから受け付ける。
【００６８】
また、撮影装置１０や表示装置７０以外の装置が長さの情報の入力を受け付けることとしてもよい。この装置は、撮影装置１０が備える対象物検出部１５ｂ、候補情報生成部１５ｃ、長さ情報生成部１５ｄ、長さ情報付加部１５ｅと同様の処理部を備える。そして、この装置は、撮影装置１０や表示装置７０から画像のデータを取得し、その画像データにユーザから受け付けた長さの情報を付加する。
【符号の説明】
【００６９】
１０…撮影装置、１１…撮像部、１２…タッチパネル部、１３…記憶部、１４…通信処理部、１５…制御部、１５ａ…エンコード部、１５ｂ…対象物検出部、１５ｃ…候補情報生成部、１５ｄ…長さ情報生成部、１５ｅ…長さ情報付加部、２０，２１…画像、２１ａ…人、２１ｂ…うちわ、２１ｃ…ボール、３０，４０，５０…外接矩形、３１…縦の辺、３２…横の辺、３３，３４，４１〜４４，５１，６０，６１…直線、７０…表示装置、７１…入力受付部、７２…表示部、７３…記憶部、７４…通信処理部、７５…表示制御部、７６…制御部、７６ａ…デコード部、７６ｂ…長さ情報取得部、７６ｃ…倍率算出部、７６ｄ…スケーリング部、７６ｅ…画質調整部。
【図１】
2014071577.tif 000003
【図２】
2014071577.tif 000004
【図３】
2014071577.tif 000005
【図４】
2014071577.tif 000006
【図５】
2014071577.tif 000007
【図６】
2014071577.tif 000008
【図７】
2014071577.tif 000009
【図８】
2014071577.tif 000010